(57)【要約】【課題】コンロ本体１の上面を覆う天板２に開設したバーナ用開口２１を通して天板上に突出するバーナ３と、天板上にバーナ用開口を囲うようにして載置される五徳４とを備えるガスコンロであって、バーナ用開口とバーナとの間の隙間を閉塞する環状のバーナリング３５を備え、バーナリングに五徳を位置決めする位置決め部が形成されるものにおいて、天板を気安く取外せないようにすると共に、鍋を動かしたときに五徳を介してバーナリングが回転することを防止できるようにする。【解決手段】コンロ本体１に固定の固定部材５を備え、天板２がバーナ用開口２１の周辺部において固定部材５に上方からボルト７により締結される。バーナリング３５に、ボルト７に係合してバーナリング３５を回り止めする係合部３５２が設けられる。係合部３５２は、ボルト７を目隠しできるように、バーナリング３５の下面に設けられる。【選択図】図３
2010002104.tif 000002
【特許請求の範囲】
【請求項１】
コンロ本体と、コンロ本体の上面を覆う天板と、天板に開設したバーナ用開口を通して天板上に突出するバーナと、天板上にバーナ用開口を囲うようにして載置される五徳とを備えるガスコンロであって、バーナ用開口とバーナとの間の隙間を閉塞する環状のバーナリングを備え、バーナリングに五徳を位置決めする位置決め部が形成されるものにおいて、
コンロ本体に固定の固定部材を備え、天板がバーナ用開口の周辺部において固定部材に上方からボルトにより締結され、
バーナリングに、ボルトに係合してバーナリングを回り止めする係合部が設けられることを特徴とするガスコンロ。
【請求項２】
前記係合部は、前記バーナリングの下面に設けられることを特徴とする請求項１記載のガスコンロ。
【発明の詳細な説明】
【技術分野】
【０００１】
本発明は、コンロ本体と、コンロ本体の上面を覆う天板と、天板に開設したバーナ用開口を通して天板上に突出するバーナと、天板上にバーナ用開口を囲うようにして載置される五徳とを備えるガスコンロに関する。
【背景技術】
【０００２】
従来、この種のガスコンロとして、バーナ用開口とバーナとの間の隙間を閉塞する環状のバーナリングを備え、バーナリングに五徳を位置決めする位置決め部を形成したものが知られている（例えば、特許文献１参照）。
【０００３】
また、内炎式バーナを天板の下方に配置したガスコンロであるが、コンロ本体に固定の固定部材を備え、固定部材に、天板のバーナ用開口の周縁部上面に対向する天板押え部材を締結したものが知られている（例えば、特許文献２参照）。これによれば、天板押え部材を取外さない限り、天板を取外すことができなくなる。従って、ユーザが気安く天板を取外してコンロ本体の内蔵部品を弄ってしまうことを抑制できる。
【０００４】
天板上にバーナを突出させるガスコンロにおいても、天板を気安く取外すことができないようにすることが望まれる。然し、バーナリングを設ける場合は、バーナリングとの干渉を生ずるため、天板押え部材を設けることができない。
【０００５】
また、バーナリングに上記の如く五徳の位置決め部が形成されると、五徳に載置する鍋を動かすことでバーナリングが五徳を介して周方向に回転してしまう。そして、バーナリングに点火プラグや火炎検知素子が挿通されていると、点火プラグや火炎検知素子にバーナリングの回転力が作用して悪影響が及ぶ。
【特許文献１】特開２００３−２６９７３１号公報
【特許文献２】特開２００６−１０５５５６号公報
【発明の開示】
【発明が解決しようとする課題】
【０００６】
本発明は、以上の点に鑑み、天板を気安く取外せないようにすると共に、バーナリングを回り止めできるようにした構造簡単なガスコンロを提供することをその課題としている。
【課題を解決するための手段】
【０００７】
上記課題を解決するために、本発明は、コンロ本体と、コンロ本体の上面を覆う天板と、天板に開設したバーナ用開口を通して天板上に突出するバーナと、天板上にバーナ用開口を囲うようにして載置される五徳とを備えるガスコンロであって、バーナ用開口とバーナとの間の隙間を閉塞する環状のバーナリングを備え、バーナリングに五徳を位置決めする位置決め部が形成されるものにおいて、コンロ本体に固定の固定部材を備え、天板がバーナ用開口の周辺部において固定部材に上方からボルトにより締結され、バーナリングに、ボルトに係合してバーナリングを回り止めする係合部が設けられることを特徴とする。
【０００８】
本発明によれば、天板が固定部材にボルトにより締結されるため、ボルトを取外さないと、天板を取外せなくなる。従って、ユーザが気安く天板を取外してコンロ本体の内蔵部品を弄ってしまうことを抑制できる。更に、本発明によれば、天板を締結するボルトを利用して、バーナリングを回り止めできる。従ってバーナリングに挿通する点火プラグや火炎検知素子に回転力が作用して悪影響が及ぶことを防止できる。更に、バーナリングを回り止めする専用の部材が不要になり、構造が簡単になる。
【０００９】
また、本発明においては、係合部がバーナリングの下面に設けられることが望ましい。これによれば、ボルトが外観に現われず、体裁が良好になる。
【発明を実施するための最良の形態】
【００１０】
図１及び図２を参照して、１は本発明の実施形態のガスコンロを示している。このガスコンロは、図示省略したコンロ本体の上面を覆う天板２を備えている。天板２にはバーナ用開口２１が開設されており、このバーナ用開口２１に臨ませてバーナ３が設置されている。また、天板２上には、バーナ用開口２１を囲うようにして五徳４が載置され、五徳４に載置する鍋等の被加熱部がバーナ３で加熱されるようにしている。
【００１１】
バーナ３は、コンロ本体１内に設置された混合管３１と、混合管３１に接続されバーナ用開口２１を通して天板１上に突出するバーナボディ３２と、バーナボディ３２上に着脱自在に載置されるバーナヘッド３３とで構成される。バーナボディ３２は、内筒部３２ａと外筒部３２ｂとから成る内外２重筒構造に構成されている。バーナヘッド３３は環状であって、内周に、バーナボディ３２の内筒部３２ａに嵌合する筒部３３ａが垂設されている。バーナヘッド３３の下面外周部には、バーナボディ３２の外筒部３２ｂの上端に当接する筒状壁３３ｂが垂設され、筒状壁３３ｂに周方向の間隔を存して多数の炎孔３４が形成される。かくして、バーナヘッド３３の外周に炎孔３４から混合気が噴出して燃焼する外炎式のバーナが構成される。尚、図１ではバーナヘッド３３を省略している。
【００１２】
バーナボディ３２の外筒部３２ｂの外周には、下方にのびるスカート部３２ｃが形成され、スカート部３２ｃに環状のバーナリング３５を外嵌させている。そして、バーナ３とバーナ用開口２１との間の隙間をバーナリング３５により閉塞して、この隙間から煮こぼれ汁がコンロ本体内に落下することを防止している。
【００１３】
バーナリング３５の内周には、２箇所に切り欠きが形成されている。そして、これら切り欠きに夫々点火プラグ３６と火炎検知素子たる熱電対３７とを挿通している。
【００１４】
五徳４は、線材で形成される環状の五徳枠４１と、五徳枠４１に放射状に取付けた複数の五徳爪４２とで構成される。五徳枠４１は、バーナリング３５の外周を囲うように形成されている。各五徳爪４２は、上辺部と下辺部とを有する略コ字状に形成され、下辺部において五徳枠４１に取付けている。また、複数の五徳爪４２のうち半周離れた所定の２つの五徳爪４２の下辺部には、五徳枠４１より内方に張り出す張り出し部４３が形成されている。そして、バーナリング３５の外周部の２箇所に、張り出し部４３が嵌まる切り欠きから成る位置決め部３５１を形成し、位置決め部３５１により五徳４がバーナ３と同心で且つ所定の位相に位置決めされるようにしている。
【００１５】
天板２の下方には、コンロ本体に固定される固定部材５が設けられている。固定部材５は、図４に示す如く、コンロ本体内に架設したバーナ支え６にボルト止めされる固定部５１を備えている。従って、固定部材５はバーナ支え６を介してコンロ本体に固定される。また、固定部材５には、バーナ３の混合管３１にスポット溶接等で固定される固定部５２が設けられており、バーナ３が固定部材５を介してコンロ本体内に設置固定されるようにしている。
【００１６】
また、天板２には、図３に示す如く、バーナ用開口２１の周囲２箇所に位置させて、透孔２２が形成されている。そして、固定部材５に、図４に示す如く、各透孔２２に対応するねじ孔５３が形成されている。そして、各透孔２２より頭部の径が大きく軸部の径が小さな各ボルト７を各透孔２２を通して各ねじ孔５３に螺合させることにより、固定部材５に天板２を締結している。
【００１７】
これによれば、ボルト７を取外さないと、天板２を取外せなくなる。従って、ユーザが気安く天板２を取外して、コンロ本体１の内蔵部品を弄ってしまうことを抑制できる。また、バーナ用開口２１に対し固定部材５が偏心しても、天板２に形成する透孔２２よりボルト７の軸部が小径であるため、天板２を固定部材５にボルト７により支障なく締結できる。
【００１８】
ところで、バーナリング３５に上記の如く五徳４の位置決め部３５１が形成されると、五徳４に載置する鍋を動かすことでバーナリング３５が五徳４を介して周方向に回転してしまう。そして、バーナリング３５に挿通する点火プラグ３６や火炎検知素子３７にバーナリング３５の回転力が作用して悪影響が及ぶ。
【００１９】
そこで、本実施形態では、バーナリング３５に、上記各ボルト７に係合してバーナリング３５を回り止めする係合部３５２を設けている。本実施形態では、バーナリング３５の下面に、各ボルト７の頭部に嵌合する孔を形成した板片をスポット溶接等で固定し、この板片で係合部３５２を構成している。
【００２０】
これによれば、天板２を締結するボルト７を利用して、バーナリング３５を回り止めできる。従ってバーナリング３５に挿通する点火プラグ３６や火炎検知素子３７に回転力が作用して悪影響が及ぶことを防止できる。更に、バーナリング３５を回り止めする専用の部材が不要になり、構造が簡単になる。
【００２１】
以上、本発明の実施形態について図面を参照して説明したが、本発明はこれに限定されない。例えば、上記実施形態では、バーナリング３５の下面に係合部３５２を設けたが、バーナリング３５にボルト７が嵌合する孔を形成し、この孔で係合部を構成することも可能である。但し、これでは、ボルト７が外観に現われてしまい、体裁を損なう。一方、上記実施形態では、ボルト７がバーナリング３５で目隠しされて外観に現われず、体裁が良好になる。また、上記実施形態では、天板２をバーナ用開口２１の周辺の２箇所で固定部材５にボルト止めしたが、１箇所或いは３箇所以上でボルト止めしても良い
【図面の簡単な説明】
【００２２】
【図１】本発明の実施形態のガスコンロの要部の斜視図。
【図２】図１のＩＩ−ＩＩ線で切断した断面図。
【図３】図１のＩＩＩ−ＩＩＩ線で切断した断面図。
【図４】実施形態のガスコンロのバーナと固定部材とを示す斜視図。
【符号の説明】
【００２３】
２…天板、２１…バーナ用開口、３…バーナ、３５…バーナリング、３５１…位置決め部、３５２…係合部、４…五徳、５…固定部材、７…ボルト。
【図１】
2010002104.tif 000003
【図２】
2010002104.tif 000004
【図３】
2010002104.tif 000005
【図４】
2010002104.tif 000006